(57)【要約】【課題】ユーザから印刷要求を受け付けたとき、管理者を必要とせずに印刷要求の許否を判定し、かつ、ユーザの割当枚数が他のユーザにより利用しつくされてしまうような事態を防止する。【解決手段】印刷管理サーバは、割当枚数、割当枚数のうちの専有分及び割当枚数のうちの共有分をユーザ毎に記憶しており、自己の割当枚数を利用しつくしたユーザから印刷要求を受け付けたとき、印刷要求に係る印刷枚数Ａが当該ユーザの専有分残枚数Ｂ、当該ユーザの共有分残枚数Ｃ及び他のユーザの総共有分残枚数Ｄの合計以下であれば（ステップＳ３１：ＹＥＳ）印刷要求を許可し（ステップＳ２５）、そうでなければ印刷要求を許可しない（ステップＳ３６）。【選択図】図４
2008171279.tif 000002
【特許請求の範囲】
【請求項１】
複数のユーザのそれぞれに割り当てられた印刷に関する割当量を、ユーザ毎に記憶している記憶手段と、
前記記憶手段に記憶されている前記割当量毎に、ユーザ本人のみが利用可能な専有分と前記複数のユーザで利用可能な共有分とを設定する設定手段と、
ユーザから印刷要求を受け付けたとき、当該印刷要求に係る印刷量が前記複数のユーザうち当該印刷要求に係るユーザ以外のユーザの共有分の利用残量の合計である総利用残量と当該印刷要求をしたユーザの割当量の利用残量との合算量以下であれば当該印刷要求を許可し、当該印刷要求に係る印刷量が前記合算量よりも多ければ当該印刷要求を許可しない印刷許可判定手段と
を備えることを特徴とする印刷管理装置。
【請求項２】
前記印刷許否判定手段は、さらに、ユーザから受け付けた印刷要求を許可する場合に、当該印刷要求をしたユーザの前記割当量の利用残量がなくなっていれば、所定の印刷設定を適用させて当該印刷要求を許可すること
を特徴とする請求項１に記載の印刷管理装置。
【請求項３】
前記所定の印刷設定は、集約印刷又はモノクローム印刷であること
を特徴とする請求項２に記載の印刷管理装置。
【請求項４】
前記印刷許否判定手段は、さらに、ユーザから受け付けた印刷要求を許可する場合に、当該印刷要求をしたユーザの前記割当量のうち専有分のみの利用残量または専有分と共有分との両方の利用残量がなくなっていれば、当該ユーザにその旨を通知して当該印刷要求を許可すること
を特徴とする請求項１に記載の印刷管理装置。
【請求項５】
前記印刷許否判定手段は、さらに、前記印刷要求に係る印刷量が前記合算量よりも多い場合に、前記印刷要求に係る印刷量のうち前記合算量を超えない分量について前記印刷要求を一部許可すること
を特徴とする請求項１に記載の印刷管理装置。
【請求項６】
前記設定手段は、各ユーザから受け付けた前記割当量の専有分または共有分の指定に基づいて、各ユーザの割当量の専有分または共有分を設定すること
を特徴とする請求項１に記載の印刷管理装置。
【請求項７】
前記設定手段は、各ユーザの割当量の利用履歴に基づいて、各ユーザの割当量の専有分及び共有分を設定すること
を特徴とする請求項１に記載の印刷管理装置。
【請求項８】
前記設定手段は、いずれのユーザについても、専有分が所定の上限値以下となるように、または、前記割当量に対する専有分の比率が所定の上限値以下となるように、各ユーザの割当量の専有分及び共有分を設定すること
を特徴とする請求項６又は７に記載の印刷管理装置。
【請求項９】
前記設定手段は、印刷の利用が管理される管理期間の始期に各ユーザの前記割当量の専有分及び共有分を設定するとともに、前記管理期間中に前記複数のユーザの共有分の利用残量の合計である総利用残量が所定量未満であれば、前記複数のユーザの共有分の利用残量の合計である総利用残量が前記所定量以上となるように各ユーザの割当量の専有分及び共有分を再設定すること
を特徴とする請求項１に記載の印刷管理装置。
【請求項１０】
前記設定手段は、各ユーザの前記割当量の専有分及び共有分を再設定する場合に、再設定により前記割当量の専有分及び共有分が変更されるユーザから許可を得られたときのみ、当該ユーザの前記割当量の専有分及び共有分を再設定すること
を特徴とする請求項９に記載の印刷管理装置。
【請求項１１】
前記印刷管理装置は、さらに、ユーザ毎の前記割当量、ユーザ毎の専有分及び共有分、ユーザ毎の前記割当量の利用残量をディスプレイに表示させる表示手段を備えること
を特徴とする請求項１に記載の印刷管理装置。
【請求項１２】
複数のユーザのそれぞれに割り当てられた印刷に関する割当量を、ユーザ毎に記憶している記憶手段を有するコンピュータに、
前記記憶手段に記憶されている前記割当量毎に、ユーザ本人のみが利用可能な専有分と前記複数のユーザで利用可能な共有分とを設定する設定ステップと、
ユーザから印刷要求を受け付けたとき、当該印刷要求に係る印刷量が前記複数のユーザうち当該印刷要求に係るユーザ以外のユーザの共有分の利用残量の合計である総利用残量と当該印刷要求をしたユーザの割当量の利用残量との合算量以下であれば当該印刷要求を許可し、当該印刷要求に係る印刷量が前記合算量よりも多ければ当該印刷要求を許可しない印刷許可判定ステップと
を実行させることを特徴とする印刷管理プログラム。
【発明の詳細な説明】
【技術分野】
【０００１】
本発明は、ユーザ毎に印刷の利用を管理する印刷管理装置及び印刷管理プログラムに関する。
【背景技術】
【０００２】
近年、オフィス等では印刷コストの削減等を目的として、ユーザ毎に印刷の利用を管理する印刷管理装置が導入されるようになってきている。一般的な印刷管理装置は、印刷に関する割当量をユーザ毎に記憶しており、ユーザから印刷要求を受け付けた場合に、当該印刷要求に係る印刷量が当該ユーザの割当量の利用残量以下であれば当該印刷要求を許可し、そうでなければ当該印刷要求を許可しないという機能を有する。この機能により各ユーザの印刷の利用量をそれぞれの割当量以下に制限することができる。ただし、印刷の利用量が厳格に制限されるため、予期せず大量印刷を必要とすることとなった場合に印刷が許可されないという不便な面もある。
【０００３】
そこで特許文献１は、割当量の変更要求をユーザから受け付けたとき、当該変更要求に対する許可を管理者から得られれば、当該ユーザの割当量を変更する技術を開示している。この技術によれば、予期せず大量印刷を必要とすることとなった場合でもユーザの割当量を増加させることにより印刷をすることができる。また特許文献２は、自己の割当量を超えて印刷をしようとするユーザから印刷要求を受け付けたとき、このユーザが所属するグループの他のユーザの割当量を利用して印刷する技術を開示している。この技術によれば、予期せず大量印刷を必要とすることとなった場合でも他のユーザの割当量を利用することにより印刷をすることができる。
【特許文献１】特開２００５−３４９７０２号公報
【特許文献２】特開２００６−１２３２９０号公報
【発明の開示】
【発明が解決しようとする課題】
【０００４】
しかしながら、特許文献１に開示された技術では、変更要求に対する許可を管理者から得る必要があるため、管理者の業務負担が増加するという問題や管理者が不在の場合に印刷をすることができないという問題が生じる。また特許文献２に開示された技術では、自己の割当量が他のユーザにより利用しつくされてしまい、その結果、ユーザが一切印刷することができないという事態が生じるおそれがある。
【０００５】
そこで、本発明は、ユーザから印刷要求を受け付けたとき、管理者を必要とせずに印刷要求の許否を判定し、かつ、ユーザの割当量が他のユーザにより利用しつくされてしまうような事態を防止することができる印刷管理装置及び印刷管理プログラムを提供することを目的とする。
【課題を解決するための手段】
【０００６】
本発明に係る印刷管理装置は、複数のユーザのそれぞれに割り当てられた印刷に関する割当量を、ユーザ毎に記憶している記憶手段と、前記記憶手段に記憶されている前記割当量毎に、ユーザ本人のみが利用可能な専有分と前記複数のユーザで利用可能な共有分とを設定する設定手段と、ユーザから印刷要求を受け付けたとき、当該印刷要求に係る印刷量が前記複数のユーザうち当該印刷要求に係るユーザ以外のユーザの共有分の利用残量の合計である総利用残量と当該印刷要求をしたユーザの割当量の利用残量との合算量以下であれば当該印刷要求を許可し、当該印刷要求に係る印刷量が前記合算量よりも多ければ当該印刷要求を許可しない印刷許可判定手段とを備える。
【０００７】
本発明に係る印刷管理プログラムは、複数のユーザのそれぞれに割り当てられた印刷に関する割当量を、ユーザ毎に記憶している記憶手段を有するコンピュータに、前記記憶手段に記憶されている前記割当量毎に、ユーザ本人のみが利用可能な専有分と前記複数のユーザで利用可能な共有分とを設定する設定ステップと、ユーザから印刷要求を受け付けたとき、当該印刷要求に係る印刷量が前記複数のユーザうち当該印刷要求に係るユーザ以外のユーザの共有分の利用残量の合計である総利用残量と当該印刷要求をしたユーザの割当量の利用残量との合算量以下であれば当該印刷要求を許可し、当該印刷要求に係る印刷量が前記合算量よりも多ければ当該印刷要求を許可しない印刷許可判定ステップとを実行させる。
【発明の効果】
【０００８】
上記構成によれば、ユーザから印刷要求を受け付けたとき、印刷管理装置又は印刷管理プログラムが印刷要求の許否を判定するので管理者を必要としない。さらに、上記構成によれば、ユーザの共有分は他のユーザに利用されることがあるが、ユーザの専有分は他のユーザに利用されることがない。したがって、自己の割当量が他のユーザにより利用しつくされてしまうような事態を防止することができる。
【０００９】
また、前記印刷許否判定手段は、さらに、ユーザから受け付けた印刷要求を許可する場合に、当該印刷要求をしたユーザの前記割当量の利用残量がなくなっていれば、所定の印刷設定を適用させて当該印刷要求を許可することとしてもよい。
所定の印刷設定として印刷の利用量を低減するような印刷設定を定めておけば、印刷要求を許可したとしても印刷量を低減することができるので、他のユーザの共有分をできるだけ温存させておくことができる。
【００１０】
また、前記所定の印刷設定は、集約印刷又はモノクローム印刷であることとしてもよい。
集約印刷とは１枚の用紙に複数ページを印刷するような印刷設定をいい、例えば、Ｎｉｎ１印刷や両面印刷などである。集約印刷を用いることにより印刷枚数を低減することができる。またモノクローム印刷を用いることにより、カラートナーの消費量を削減することができる。
【００１１】
また、前記印刷許否判定手段は、さらに、ユーザから受け付けた印刷要求を許可する場合に、当該印刷要求をしたユーザの前記割当量のうち専有分のみの利用残量または専有分と共有分との両方の利用残量がなくなっていれば、当該ユーザにその旨を通知して当該印刷要求を許可することとしてもよい。
上記構成によれば、ユーザに注意喚起をすることができる。
【００１２】
また、前記印刷許否判定手段は、さらに、前記印刷要求に係る印刷量が前記合算量よりも多い場合に、前記印刷要求に係る印刷量のうち前記合算量を超えない分量について前記印刷要求を一部許可することとしてもよい。
上記構成によれば、印刷要求に係る印刷量のうち総利用残量を超えない分量については印刷することができるので、ユーザにとって便利な場合がある。
【００１３】
また、前記設定手段は、各ユーザから受け付けた前記割当量の専有分または共有分の指定に基づいて、各ユーザの割当量の専有分または共有分を設定することとしてもよい。
上記構成によれば、各ユーザは自らの意思に基づいて自己の専有分及び共有分を設定することができる。
また、前記設定手段は、各ユーザの割当量の利用履歴に基づいて、各ユーザの割当量の専有分及び共有分を設定することとしてもよい。
【００１４】
上記構成によれば、印刷管理装置が各ユーザの割当量の専有分及び共有分を設定するので、各ユーザの手間を省くことができる。
また、前記設定手段は、いずれのユーザについても、専有分が所定の上限値以下となるように、または、前記割当量に対する専有分の比率が所定の上限値以下となるように、各ユーザの割当量の専有分及び共有分を設定することとしてもよい。
【００１５】
上記構成によれば、いずれのユーザについても所定の上限値を超えて専有分が設定されることがない。したがって、いずれのユーザも一定量を共有分として供出することとなり、各ユーザの割当量の専有分及び共有分を公平に設定することができる。
また、前記設定手段は、印刷の利用が管理される管理期間の始期に各ユーザの前記割当量の専有分及び共有分を設定するとともに、前記管理期間中に前記複数のユーザの共有分の利用残量の合計である総利用残量が所定量未満であれば、前記複数のユーザの共有分の利用残量の合計である総利用残量が前記所定量以上となるように各ユーザの割当量の専有分及び共有分を再設定することとしてもよい。
【００１６】
上記構成によれば、管理期間中に複数のユーザの共有分の利用残量の合計である総利用残量が所定量以上となるので、総利用残量が利用しつくされてしまうことをできるだけ防止することができる。
また、前記設定手段は、各ユーザの前記割当量の専有分及び共有分を再設定する場合に、再設定により前記割当量の専有分及び共有分が変更されるユーザから許可を得られたときのみ、当該ユーザの前記割当量の専有分及び共有分を再設定することとしてもよい。
【００１７】
上記構成によれば、ユーザは、再設定後の印刷の利用計画等に照らして再設定の許否を決定することができる。
また、前記印刷管理装置は、さらに、ユーザ毎の前記割当量、ユーザ毎の専有分及び共有分、ユーザ毎の前記割当量の利用残量をディスプレイに表示させる表示手段を備えることとしてもよい。
【００１８】
上記構成によれば、ユーザに印刷の利用状況を知らせることができる。
【発明を実施するための最良の形態】
【００１９】
本発明を実施するための最良の形態を、図面を参照して詳細に説明する。
＜構成＞
図１は、本発明の実施の形態に係る印刷管理システムを示す図である。
印刷管理サーバ１０、MFP２０、MFP３０及びMFP４０がネットワークを介して接続されている。印刷管理サーバ１０は、ユーザ毎に印刷の利用を管理しており、MFPから印刷要求を受け付けたとき当該印刷要求の許否を判定し、判定結果をMFPに通知する。MFP２０、MFP３０及びMFP４０は、ユーザから印刷命令を受け付けたとき印刷管理サーバ１０に印刷要求を発行し、当該印刷要求に対する判定結果が許可を示していれば印刷を実行し、不許可を示していれば印刷を実行しない。
【００２０】
図２は、本発明の実施の形態に係る印刷管理サーバの構成を示す図である。
印刷管理サーバ１０は、記憶部１１、操作部１２、ディスプレイ部１３、通信部１４及び制御部１５を備える。印刷管理プログラム及び印刷管理データは記憶部１１に記憶されている。制御部１５が印刷管理データを用いて印刷管理プログラムを実行することにより印刷管理機能が実現される。
＜動作＞
図３は、本発明の実施の形態に係る印刷管理サーバの動作を示す図である。
【００２１】
印刷管理サーバ１０は、印刷処理開始条件又は設定処理開始条件を充足するまでこれらの処理の実行をせずに待機している（ステップＳ１１：ＮＯ、ステップＳ１２：ＮＯ）。本実施の形態では、「MFPからの印刷要求の受け付け」を印刷処理開始条件とし、「管理期間の始期の到来」及び「管理期間中の所定時期の到来」を設定処理開始条件として説明する。管理期間とは、印刷の利用が管理される単位期間であり、例えば週、月、四半期、半期、年などである。管理期間中の所定時期は、管理者により定められる。
【００２２】
印刷管理サーバ１０は、印刷処理開始条件が充足されれば（ステップＳ１１：ＹＥＳ）印刷処理を実行し（ステップＳ１３）、設定処理開始条件が充足されれば（ステップＳ１２：ＹＥＳ）設定処理を実行する（ステップＳ１４）。以下に印刷処理及び設定処理の詳細を説明する。
図４は、図３の印刷処理（ステップＳ１３）の詳細を示す図である。
【００２３】
印刷管理サーバ１０は、印刷要求に係る印刷枚数Ａを特定するとともに（ステップＳ２１）、印刷要求に係るユーザの専有分残枚数Ｂを特定する（ステップＳ２２）。印刷枚数Ａは、印刷しようとする枚数であり、印刷要求に含まれる情報から特定される。専有分残枚数Ｂは、割当枚数のうちの専有分の残枚数であり、記憶部１１に記憶されている印刷管理データを参照することにより特定される。また印刷要求に係るユーザは、印刷要求に含まれる情報から特定される。本実施の形態では、記憶部１１は、印刷管理データとして、印刷に関する割当枚数、割当枚数のうちの専有分、割当枚数のうちの共有分、専有分残枚数及び共有分残枚数をユーザ毎に分けて記憶しているものとする。
【００２４】
印刷枚数Ａが専有分残枚数Ｂ以下であれば（ステップＳ２３：ＹＥＳ）、印刷管理サーバ１０は、専有分残枚数Ｂから印刷枚数Ａを引いた数を新たな専有分残枚数Ｂとして、記憶部１１に記憶されている専有分残枚数Ｂを更新し（ステップＳ２４）、印刷許可通知をMFPに送信する（ステップＳ２５）。
印刷枚数Ａが専有分残枚数Ｂよりも多ければ（ステップＳ２３：ＮＯ）、印刷管理サーバ１０は、印刷要求に係るユーザの共有分残枚数Ｃを特定する（ステップＳ２６）。共有分残枚数Ｃは、割当枚数のうちの共有分の残枚数であり、記憶部１１に記憶されている印刷管理データを参照することにより特定される。
【００２５】
印刷枚数Ａが専有分残枚数Ｂ及び共有分残枚数Ｃの合計以下であれば（ステップＳ２７：ＹＥＳ）、印刷管理サーバ１０は、レベル１の警告を印刷許可通知に付加して（ステップＳ２８）、レベル１の警告が付加された印刷許可通知をMFPに送信する（ステップＳ２５）。このときに、印刷管理サーバ１０は、ゼロを新たな専有分残枚数Ｂとし、共有分残枚数Ｃから（印刷枚数Ａ−専有分残枚数Ｂ）を引いた数を新たな共有分残枚数Ｃとして、記憶部１１に記憶されている専有分残枚数Ｂ及び共有分残枚数Ｃを更新する（ステップＳ２９）。専有分残枚数Ｂ及び共有分残枚数Ｃの合計は、ユーザの割当枚数の残枚数を意味する。したがって、ステップＳ２３で「ＮＯ」、ステップＳ２７で「ＹＥＳ」の場合、印刷要求を許可したときにユーザの専有分は超えるがユーザの割当枚数は超えないことを意味する。レベル１の警告は、そのような範囲で印刷要求が許可されたことを通知するものとする。なおMFPに送信されたレベル１の警告は、MFPの操作パネルに表示されるか、または、MFPに印刷指示を出したユーザにメール等を利用して通知されるものとする。
【００２６】
印刷枚数Ａが専有分残枚数Ｂ及び共有分残枚数Ｃの合計よりも多ければ（ステップＳ２７：ＮＯ）、印刷管理サーバ１０は、総共有分残枚数Ｄを特定する（ステップＳ３０）。総共有分残枚数Ｄは、印刷要求に係るユーザ以外のユーザの共有分残枚数の合計であり、記憶部１１に記憶されている印刷管理データを参照することにより特定される。なお、ユーザはグループ単位で管理されており、「印刷要求に係るユーザ以外のユーザ」とは、同じグループに属するユーザを指す。グループは様々な用途及び目的に応じて設定される。
【００２７】
印刷枚数Ａが専有分残枚数Ｂ、共有分残枚数Ｃ及び総共有分残枚数Ｄの合計以下であれば（ステップＳ３１：ＹＥＳ）、印刷管理サーバ１０は、機能制限条件及びレベル２の警告を印刷許可通知に付加して（ステップＳ３２、ステップＳ３３）、機能制限条件及びレベル２の警告が付加された印刷許可通知をMFPに送信する（ステップＳ２５）。このときに、印刷管理サーバ１０は、いずれもゼロを新たな専有分残枚数Ｂ及び新たな共有分残枚数Ｃとして、記憶部１１に記憶されている専有分残枚数Ｂ及び共有分残枚数Ｃを更新するとともに（ステップＳ３４）、他ユーザ共有分残枚数差引処理を実行することにより記憶部１１に記憶されている他のユーザの共有分残枚数を更新する（ステップＳ３５）。他ユーザ共有分残枚数差引処理については後述する。専有分残枚数Ｂ、共有分残枚数Ｃ及び総共有残枚数Ｄの合計は、ユーザの割当枚数の残枚数と他ユーザの共有分の残枚数の合計を意味する。したがって、ステップＳ２３で「ＮＯ」、ステップＳ２７で「ＮＯ」、ステップＳ３１で「ＹＥＳ」の場合、印刷要求を許可したときにユーザの割当枚数は超えるが他のユーザの共有分の合計は超えないことを意味する。レベル２の警告は、そのような範囲で印刷要求が許可されたことを通知するものとする。なおMFPに送信されたレベル２の警告は、MFPの操作パネルに表示されるか、または、MFPに印刷指示を出したユーザにメール等を利用して通知されるものとする。また機能制限条件とは、印刷要求を許可するにあたり、管理者により予め定められた印刷設定を適用することを条件とすることを示し、例えば、１枚の用紙に複数ページを印刷するＮｉｎ１印刷や両面印刷などの集約印刷、あるいはモノクローム印刷などが設定される。機能制限条件が付加されることは、ユーザ自身の割当枚数を使用しつくして、他ユーザの共有分を使用することへのペナルティ的な意味合いをもつ。印刷設定として集約印刷が定められていれば、集約印刷をしない場合に比べて印刷枚数を削減することができるので、他のユーザの共有分残枚数をできるだけ温存させることができる。また印刷設定としてモノクローム印刷が定められていれば、カラー印刷をする場合に比べて印刷コストを削減することができる。また機能制限条件が付加されたことを、印刷指示を出したユーザに通知することとしてもよい。
【００２８】
印刷枚数Ａが専有分残枚数Ｂ、共有分残枚数Ｃ及び総共有分残枚数Ｄの合計よりも多ければ（ステップＳ３１：ＮＯ）、印刷管理サーバ１０は、印刷不許可通知をMFPに送信する（ステップＳ３６）。ステップＳ２３で「ＮＯ」、ステップＳ２７で「ＮＯ」、ステップＳ３１で「ＮＯ」の場合、印刷要求を許可したときにユーザの割当枚数を超え、他のユーザの共有分の合計も超えることを意味する。このような場合には印刷要求を不許可とすることにより、複数のユーザ全体で印刷枚数の上限管理をすることができる。
【００２９】
図５は、図４の他ユーザ共有分残枚数差引処理（ステップＳ３５）の詳細を示す図である。
他ユーザ共有分残枚数差引処理は、印刷要求に係るユーザ以外のユーザの共有分を利用して印刷するときに、どのユーザの共有分残枚数をどれだけ差し引くかを決定するための処理である。
【００３０】
印刷管理サーバ１０は、印刷枚数Ａから専有分残枚数Ｂ及び共有分残枚数Ｃを差し引いた枚数Ｅを算出する（ステップＳ４１）。枚数Ｅは印刷要求を許可するにあたり印刷要求に係るユーザ以外のユーザの共有分残枚数から差し引くべき枚数を意味する。印刷管理サーバ１０は、印刷要求に係るユーザ以外のユーザのうち共有分残枚数ｄｉが最大のユーザを特定し（ステップＳ４２）、枚数Ｅを更新するとともに、特定されたユーザの共有分残枚数ｄｉを更新する（ステップＳ４３）。更新により枚数Ｅ及び特定されたユーザの共有分残枚数ｄｉはいずれも規定枚数Ｆだけ減少する。規定枚数Ｆは管理者により予め定められているものとする。
【００３１】
印刷管理サーバ１０は、枚数Ｅがゼロ以下になるまでステップＳ４２及びステップＳ４３を繰り返す（ステップＳ４４）。
図６及び図７は、図３の設定処理（ステップＳ１４）の詳細を示す図である。
印刷管理サーバ１０は、管理期間の始期が到来すれば（ステップＳ５１：ＹＥＳ）、割当枚数、割当枚数のうちの専有分及び割当枚数のうちの共有分をユーザ毎に設定し、印刷管理データとして記憶部１１に記憶する。このときの設定モードは３種類あり、どの設定モードで設定するかは管理者により予め定められている。
【００３２】
印刷管理サーバ１０は、設定モードが「自動設定モード」に定められていれば（ステップＳ５２：ＹＥＳ）、デフォルト値又はユーザの利用履歴に基づいて割当枚数及び専有分をユーザ毎に設定する（ステップＳ５３）。割り当て枚数及び専有分が設定されれば、共有分は自動的に定まる。ユーザの利用履歴を用いる場合としては、例えば、過去の管理期間の終期における専有分残枚数が多いほど今回の管理期間における専有分が少なくなるように設定することが考えられる。
【００３３】
印刷管理サーバ１０は、設定モードが「専有分のみユーザ設定」に定められていれば（ステップＳ５２：ＮＯ、ステップＳ５４：ＹＥＳ）、デフォルト値又はユーザの利用履歴に基づいて割当枚数及び専有分の上限をユーザ毎に設定する（ステップＳ５５）。印刷管理サーバ１０は、専有分の上限を各ユーザに提示し、専有分の上限の範囲内でユーザから受け付けた専有分を設定する（ステップＳ５６）。このモードでは、ユーザは上限の範囲内で自己の専有分を自由に設定することができる。なお専有分の上限は、管理者により予め定められているものとする。上限の規定方法は、専有分の枚数で定めることしてもよいし、割当量に対する専有分の比率で定めることとしてもよい。
【００３４】
印刷管理サーバ１０は、設定モードが「専有分の上限のみユーザ設定」に定められていれば（ステップＳ５２：ＮＯ、ステップＳ５４：ＮＯ）、デフォルト値又はユーザの利用履歴に基づいて割当枚数をユーザ毎に設定する（ステップＳ５７）。それとともにユーザから専有分の上限を受け付け（ステップＳ５８）、受け付けた専有分の上限の範囲内でデフォルト値又はユーザの利用履歴に基づいて専有分をユーザ毎に設定する（ステップＳ５９）。
【００３５】
一方、印刷管理サーバ１０は、管理期間中の所定時期が到来すれば（ステップＳ５１：ＮＯ）、総共有分残枚数Ｄを特定し（ステップＳ６１）、総共有分残枚数Ｄが規定枚数Ｇ以下であれば（ステップＳ６２：ＹＥＳ）、割当枚数のうちの専有分及び割当枚数のうちの共有分をユーザ毎に再設定し、印刷管理データとして記憶部１１に記憶する。規定枚数Ｇは、管理者により予め定められているものとする。
【００３６】
再設定をする場合に、印刷管理サーバ１０は、複数のユーザのうち専有分残枚数ｂｉが最大のユーザを特定する（ステップＳ６３）。印刷管理サーバ１０は、ユーザの許可が必要なければ（ステップＳ６４：ＮＯ）、特定されたユーザの専有分残枚数ｂｉを更新するとともに特定されたユーザの共有分残枚数ｄｉを更新する（ステップＳ６７）。更新により専有分残枚数ｂｉは規定枚数Ｈだけ減少するとともに共有分残枚数ｄｉは規定枚数Ｈだけ増加する。規定枚数Ｈは、管理者により予め定められているものとする。
【００３７】
印刷管理サーバ１０は、再設定をする場合にユーザの許可が必要であれば（ステップＳ６４：ＹＥＳ）、特定されたユーザに共有分の追加要求を行い（ステップＳ６５）、許可が得られた場合に（ステップＳ６６：ＹＥＳ）、ステップＳ６７を実施する。許可が得られない場合には（ステップＳ６６：ＮＯ）、印刷管理サーバ１０は、特定されたユーザを共有分追加処理の対象から除外する（ステップＳ６８）。ユーザの許可が必要であるか否かは、管理者により予め定められている。
【００３８】
印刷管理サーバ１０は、総共有分残枚数Ｄが規定枚数Ｇを超えるまで（ステップＳ６２：ＮＯ）、上記動作を繰り返す。
＜表示例＞
印刷管理サーバ１０は、管理者及びユーザからの要求に応じて印刷管理データをディスプレイ部１３に表示する。
【００３９】
図８乃至図１２は、本発明の実施の形態に係る印刷管理データの表示例を示す図である。
図８は、管理期間の始期における印刷管理データの表示例である。この例では、いずれのユーザも割当枚数が１０００枚に設定されている。専有分は、ユーザＡ、Ｂ、Ｃの順に、それぞれ５００枚、３００枚、７００枚に設定され、共有分は、それぞれ５００枚、７００枚、３００枚に設定されている。
【００４０】
図９は、各ユーザが自己の割当枚数の範囲内で印刷している状況を示している。ユーザＡは専有分残枚数が０枚であり共有分残枚数も０枚である。すなわち自己の割当枚数を利用しつくしている。ユーザＢは専有分残枚数が０枚であり共有分残枚数が６００枚である。ユーザＣは専有分残枚数が４５０枚であり共有分残枚数が３００枚である。
図１０は、ユーザＡが自己の割当枚数を超えて印刷をする状況を示している。ユーザＡは自己の割当枚数１０００枚を超えてさらに５０枚の印刷をしている。この５０枚がどのユーザの共有分から供出されるかは、他ユーザ共有分残枚数差引処理に基づいて決定される。この例では、ユーザＢの共有分から供出されている。
【００４１】
図１１は、管理期間中の所定時期における印刷管理データの表示例である。この例では、総共有分残枚数はユーザＢの共有分残枚数２００枚とユーザＣの共有分残枚数３００枚とを合わせて５００枚である。
図１２は、管理期間中の所定時期において共有分の追加要求が許可された状況を示している。この例では、ユーザＣの割当枚数のうち２００枚が共有分として追加的に供出されている。
【００４２】
以上、本発明に係る印刷管理装置及び印刷管理プログラムについて、実施の形態に基づいて説明したが、本発明はこれらの実施の形態に限られない。例えば、以下のような変形例が考えられる。
（１）実施の形態では印刷量として印刷枚数を管理することとして説明しているが、印刷コストに関して管理対象となるものであれば、本発明はこれに限らない。近年、印刷により消費したトナー量に応じて課金するという課金方法が考えられている。このような場合には、トナー量を管理することとしてもよい。
（２）実施の形態では印刷管理機能を実現するために専用の印刷管理サーバを設けることとして説明しているが、本発明はこれに限らない。例えば、専用の印刷管理サーバを設けずに、いずれかのMFPに印刷管理機能を実現させることとしてもよい。
（３）実施の形態では印刷枚数Ａが専有分残枚数Ｂ、共有分残枚数Ｃ及び総共有分残枚数Ｄの合計よりも多ければ（ステップＳ３１：ＮＯ）、印刷管理サーバ１０は、印刷を許可しないこととしている（ステップＳ３６）。しかしながら、本発明はこれに限らず、印刷枚数Ａが専有分残枚数Ｂ、共有分残枚数Ｃ及び総共有分残枚数Ｄの合計を超えない範囲で一部印刷を許可することとしてもよい。
【産業上の利用可能性】
【００４３】
本発明は、例えば、印刷管理サーバ、MFP等に利用可能である。
【図面の簡単な説明】
【００４４】
【図１】本発明の実施の形態に係る印刷管理システムを示す図である。
【図２】本発明の実施の形態に係る印刷管理サーバの構成を示す図である。
【図３】本発明の実施の形態に係る印刷管理サーバの動作を示す図である。
【図４】図３の印刷処理（ステップＳ１３）の詳細を示す図である。
【図５】図４の他ユーザ共有分残枚数差引処理（ステップＳ３５）の詳細を示す図である。
【図６】図３の設定処理（ステップＳ１４）の詳細を示す図である。
【図７】図３の設定処理（ステップＳ１４）の詳細を示す図である。
【図８】本発明の実施の形態に係る印刷管理データの表示例を示す図である。
【図９】本発明の実施の形態に係る印刷管理データの表示例を示す図である。
【図１０】本発明の実施の形態に係る印刷管理データの表示例を示す図である。
【図１１】本発明の実施の形態に係る印刷管理データの表示例を示す図である。
【図１２】本発明の実施の形態に係る印刷管理データの表示例を示す図である。
【符号の説明】
【００４５】
１０    印刷管理サーバ
１１    記憶部
１２    操作部
１３    ディスプレイ部
１４    通信部
１５    制御部
２０、３０、４０    MFP
【図１】
2008171279.tif 000003
【図２】
2008171279.tif 000004
【図３】
2008171279.tif 000005
【図４】
2008171279.tif 000006
【図５】
2008171279.tif 000007
【図６】
2008171279.tif 000008
【図７】
2008171279.tif 000009
【図８】
2008171279.tif 000010
【図９】
2008171279.tif 000011
【図１０】
2008171279.tif 000012
【図１１】
2008171279.tif 000013
【図１２】
2008171279.tif 000014